(57)【特許請求の範囲】
【請求項１】
本体部と、
前記本体部に開閉可能に取り付けられる第１ガイド部と、
前記本体部と前記第１ガイド部との間において前記本体部に開閉可能に取り付けられ、閉姿勢において前記本体部に係合し、前記第１ガイド部が開かれる場合に、前記本体部が前記第１ガイド部の少なくとも一部によって押圧されることによって、前記本体部との係合が解除される第２ガイド部と、
を備える自動原稿搬送装置。
【請求項２】
前記第１ガイド部は、前記本体部を押圧可能な押圧部を、有しており、
前記押圧部が前記本体部に当接することによって、前記第２ガイド部と前記本体部との係合が解除される、
請求項１に記載の自動原稿搬送装置。
【請求項３】
前記本体部は、突出部を有しており、
前記押圧部が前記突出部に当接することによって、前記第２ガイド部と前記本体部との係合が解除される、
請求項２に記載の自動原稿搬送装置。
【請求項４】
前記押圧部は、前記突出部に当接し前記本体部を前記第１ガイド部から離れる方向と前記第１ガイド部に近づく方向とに案内する傾斜部を、有している、
請求項３に記載の自動原稿搬送装置。
【請求項５】
前記本体部は、凹部を有しており、
前記第２ガイド部は、前記凹部に嵌合可能な凸部を、有している、
請求項１〜４のいずれかに記載の自動原稿搬送装置。
【請求項６】
原稿が、給紙口から排紙口まで、一方向に搬送される搬送経路と、
請求項１〜５に記載の自動原稿搬送装置と、
前記搬送経路において原稿の片面又は原稿の両面を読み取る読取部と、
を備える画像読取装置。
【発明の詳細な説明】
【技術分野】
【０００１】
本発明は、自動原稿搬送装置に関する。また、本発明は、自動原稿搬送装置を備えた画像読取装置に関する。
【背景技術】
【０００２】
従来の自動原稿搬送装置には、搬送経路を覆う搬送ガイド手段を分割したものがある（特許文献１を参照）。この自動原稿搬送装置では、搬送ガイド手段の開放スペースを小さくすることができるとともに、紙詰まり等を起こした際の原稿の排除やクリーニング等のメンテナンスを、必要な部分ごとに行うことができるようになっている。
【先行技術文献】
【特許文献】
【０００３】
【特許文献１】特開２００８−１８７５９５号公報
【発明の概要】
【発明が解決しようとする課題】
【０００４】
従来の自動原稿搬送装置では、開放スペースの縮小及び局所的なメンテナンス等を行うために、搬送経路を覆う搬送ガイド手段を分割していた。このタイプの自動原稿搬送装置では、上記のような利点があるものの、搬送ガイド手段を分割したことによって、搬送経路にアクセスするために、複数の手順を踏まざるを得ないという問題があった。
【０００５】
本発明の課題は、搬送経路に容易にアクセスすることができる自動原稿搬送装置を、提供することにある。
【課題を解決するための手段】
【０００６】
以下に、課題を解決するための手段として複数の態様を説明する。これら態様は、必要に応じて任意に組み合せることができる。
【０００７】
本発明の一見地に係る自動原稿搬送装置は、本体部と、第１ガイド部と、第２ガイド部とを、備えている。第１ガイド部は、本体部に開閉可能に取り付けられている。第２ガイド部は、本体部と第１ガイド部との間において、本体部に開閉可能に取り付けられている。また、第２ガイド部は、閉姿勢において本体部に係合している。ここでは、第１ガイド部が開かれる場合に、本体部が第１ガイド部の少なくとも一部によって押圧されることによって、第２ガイド部と本体部との係合が解除され、第２ガイド部が開かれる。
【０００８】
この場合、第１ガイド部及び第２ガイド部が閉姿勢である場合には、第２ガイド部は本体部に係合している。そして、第１ガイド部が開かれる場合に、本体部が第１ガイド部の少なくとも一部によって押圧され、第２ガイド部と本体部との係合が解除される。これにより、第２ガイド部が開放可能になる。すなわち、第１ガイド部を開放するだけで、第２ガイド部も開放可能になるので、搬送経路に容易にアクセスすることができる。
【０００９】
自動原稿搬送装置では、第１ガイド部が、本体部を押圧可能な押圧部を、有していてもよい。ここでは、押圧部が本体部に当接することによって、第２ガイド部と本体部との係合が解除される。この場合、局所的な押圧力を、第１ガイド部の押圧部から本体部に与えることができるので、小さな力で第２ガイド部と本体部との係合を、容易に解除することができる。
【００１０】
自動原稿搬送装置では、本体部は、突出部を有していてもよい。ここでは、押圧部が突出部に当接することによって、第２ガイド部と本体部との係合が解除される。この場合、局所的な押圧力を、第１ガイド部の押圧部から本体部の突出部に与えることができるので、小さな力で第２ガイド部と本体部との係合を、より容易に解除することができる。
【００１１】
自動原稿搬送装置では、押圧部が傾斜部を有していてもよい。押圧部の傾斜部は、突出部に当接し、本体部を第１ガイド部から離れる方向に案内する。また、押圧部は、突出部に当接し、本体部を第１ガイド部に近づく方向に案内する。
【００１２】
この場合、第１ガイド部材における押圧部の傾斜部によって、本体部を、第１ガイド部から離れる方向に案内することによって、第２ガイド部と本体部との係合が解除される。また、第１ガイド部材における押圧部の傾斜部によって、本体部を、第１ガイド部に近づく方向に案内することによって、本体部の姿勢が復帰させられる。このように、第１ガイド部材における押圧部の傾斜部によって、第２ガイド部と本体部との係合を、より容易に解除することができる。また、この傾斜部によって、本体部の姿勢をスムーズに元の姿勢に復帰させることができる。
【００１３】
自動原稿搬送装置では、本体部が凹部を有していてもよい。また、第２ガイド部は、凹部に嵌合可能な凸部を、有していてもよい。この場合、第２ガイド部が閉姿勢である状態において、本体部の凹部に第２ガイド部の凸部を係合させることによって、本体部に対して第２ガイド部を位置決めすることができる。
【００１４】
本発明の一見地に係る画像読取装置は、搬送経路と、上記の自動原稿搬送装置と、読取部とを、備えている。搬送経路では、原稿が、給紙口から排紙口まで、一方向に搬送される。読取部は、搬送経路において、原稿の片面又は原稿の両面を、読み取る。この場合においても、上記と同様の効果を得ることができる。
【発明の効果】
【００１５】
本発明に係る自動原稿搬送装置及び画像読取装置は、搬送経路に容易にアクセスすることができる。
【図面の簡単な説明】
【００１６】
【図１】本実施形態に係る複合機の側面断面図。
【図２】本実施形態に係る複合機のＡＤＦの側面断面図。
【図３】本実施形態に係る複合機のカバー部の上面図。
【図４】本実施形態に係るＡＤＦの部分断面図。
【図５Ａ】本実施形態に係るアウターガイド部の押圧部と本体筐体の側壁部とを上方から見た図（その１）。
【図５Ｂ】本実施形態に係るアウターガイド部の押圧部と本体筐体の側壁部とを上方から見た図（その２）。
【図５Ｃ】本実施形態に係るアウターガイド部の押圧部と本体筐体の側壁部とを上方から見た図（その３）。
【図５Ｄ】本実施形態に係るアウターガイド部の押圧部と本体筐体の側壁部とを上方から見た図（その４）。
【図６】本実施形態に係るインナーガイド部の凸部と本体筐体の側壁部とを上方から見た図。
【図７】原稿の流れを示すＡＤＦの側面断面図（片面読取の場合）。
【図８】原稿の流れを示すＡＤＦの側面断面図（両面読取の場合）。
【発明を実施するための形態】
【００１７】
（１）複合機の全体構成
まず、本発明に係る複合機の全体構成から説明する。複合機は、ファクシミリ、読取、複写、及び印刷等の機能を備えている。なお、以下では、図１に示す側面視にて、原稿供給トレイ９の原稿を給紙する方向に向かう水平方向を前後方向とし、前後方向に対して水平に直交する方向を左右方向として、定義する。また、前後方向と左右方向に直交する方向を、上下方向と定義する。さらに、「原稿の片面を読み取る」という文言は、「原稿の片面（一面）だけを読み取る」という意味で用いられる。また、「原稿の両面を読み取る」という文言は、「原稿の片面（一面）及び裏面（他面）を読み取る」という意味で用いられる。また、「ある位置及び／又はある部材（部分）より、上流（上流側）及び／又は下流（下流側）」という文言は、「原稿が搬送されている方向（原稿搬送方向）において、ある位置及び／又はある部材（部分）等を基準として、上流（上流側）及び下流（下流側）」という意味を、示している。
【００１８】
図１に示すように複合機は、読取部１と、記録部２と、原稿押えカバー７とを、備えている。読取部１は、記録部２に回動自在に装着されている。例えば、読取部１は、ヒンジ部１０ａまわりに回動自在に記録部２に装着されている。読取部１は、読取部本体１０と、透明状の静止原稿載置ベッド１１と、読取装置６とを、有している。静止原稿載置ベッド１１は、読取部本体１０の上面に設けられている。読取装置６は、読取部本体１０の内部に配置されている。例えば、原稿が静止原稿載置ベッド１１上に置かれると、読取装置６が静止原稿載置ベッド１１に沿って原稿を走査する。
【００１９】
なお、以下では、原稿が読取部１において読み取られる位置が、読取位置Ｐ２と呼ばれる。詳細には、読取位置Ｐ２は、原稿が、搬送経路ＨＲ上例えばコンタクトガラス１２上において、読取装置６に読み取られる位置である（図７及び図８を参照）。
【００２０】
また、図２に示すように、読取部１は、コンタクトガラス１２と固定部材１３とを、さらに有している。コンタクトガラス１２は、一方向に長い透明な部材である。コンタクトガラス１２の短辺方向の断面は、台形状に形成されている。固定部材１３は、コンタクトガラス１２を読取部本体１０に固定するためのものである。固定部材１３は、コンタクトガラス１２の傾斜部（台形状の断面の傾斜部）に当接した状態で、読取部本体１０に固定される。
【００２１】
図１に示すように、記録部２には、記録装置３及び給紙カセット４がそれぞれ上下に設けられている。給紙カセット４には、用紙が堆積されている。用紙は、給紙カセット４から記録装置３へ給紙される。そして、原稿内容が用紙に記録されると、用紙は記録紙排出トレイ５へ排出される。
【００２２】
図１に示すように、原稿押えカバー７は、読取部１例えば静止原稿載置ベッド１１に載置された原稿を、上方から押えるためのものである。原稿押えカバー７は、読取部１の上方に設けられている。例えば、原稿押えカバー７は、読取部本体１０に上下方向に開閉可能に設けられている。
【００２３】
図２に示すように、原稿押えカバー７は、本体部７１と、カバー部７２とを、有している。本体部７１は、読取部本体１０に上下方向に開閉可能に設けられている。本体部７１は、本体筐体７１ａと、切替部７１ｂと、インナーガイド部７１ｃ（第２ガイド部の一例）とを、有している。
【００２４】
なお、以下では、カバー部７２（後述するアウターガイド部７２ａ及び／又は外カバー部７２ｂ）が開放された状態を、開姿勢と呼び、カバー部７２が閉じられた状態を、閉姿勢と呼ぶ。同様に、後述するインナーガイド部７１ｃが開放された状態を、開姿勢と呼び、インナーガイド部７１ｃが閉じられた状態を、閉姿勢と呼ぶ。
【００２５】
図３に示すように、本体筐体７１ａは、一対の側壁部１７１を有している。一対の側壁部１７１は、互いに対向するように、本体筐体７１ａに設けられている。一対の側壁部１７１それぞれは、アウターガイド部７２ａ（後述する）とインナーガイド部７１ｃとが閉姿勢である場合に、アウターガイド部７２ａの側部と、インナーガイド部７１ｃの側部とに、対向している。
【００２６】
図５Ａ〜図５Ｄ及び図６に示すように、一対の側壁部１７１のいずれか一方には、突出部１７１ａと凹部１７１ｂとが、形成されている。突出部１７１ａは、側壁部１７１から外方に突出しており、側壁部１７１に一体に形成されている。突出部１７１ａは、一方向に長い矩形板状に形成されている。より具体的には、図５Ａに示すように、アウターガイド部７２ａの回動軸（第１駆動ローラ３１ａの回転軸）の上方において、突出部１７１ａは側壁部１７１に一体に形成されている。また、突出部１７１ａの長手方向が上下方向に位置するように、突出部１７１ａは側壁部１７１に一体に形成されている。さらに、突出部１７１ａの隅角部には、面取りが施されている。
【００２７】
図６に示すように、凹部１７１ｂは、一方向に長い矩形溝状に形成されている。凹部１７１ｂは、インナーガイド部７１ｃが閉姿勢である場合に、インナーガイド部７１ｃの凸部１７１ｃに対向する位置において、側壁部１７１に形成されている。また、凹部１７１ｂの長手方向が前後方向に位置するように、凹部１７１ｂは側壁部１７１に一体に形成されている。
【００２８】
切替部７１ｂは、原稿の搬送経路ＨＲ上において原稿を案内する経路を切り替えるためのものである。例えば、切替部７１ｂは、原稿を排紙する経路（後述する排紙経路）と、原稿の両面を読み取る場合に原稿を反転する経路（後述する反転経路Ｒ５）とを、切り替える。切替部７１ｂは、本体筐体７１ａに揺動自在に装着されている。切替部７１ｂの揺動は、図示しないコントローラによって制御される。
【００２９】
図２及ぶ図４に示すように、インナーガイド部７１ｃは、アウターガイド部７２ａと本体筐体７１ａとの間に配置されている。インナーガイド部７１ｃは、本体筐体７１ａに開放可能に装着されている。インナーガイド部７１ｃは、例えば、ヒンジ部１０ｂまわりに回動可能に、本体筐体７１ａに装着されている。
【００３０】
インナーガイド部７１ｃは、閉姿勢において本体筐体７１ａに係合している。インナーガイド部７１ｃと本体筐体７１ａとの係合は、アウターガイド部７２ａの少なくとも一部によって本体筐体７１ａが押圧されることによって、解除される。具体的には、インナーガイド部７１ｃと本体筐体７１ａとの係合は、後述するように、アウターガイド部７２ａの押圧部１７２が本体筐体７１ａに当接することによって、解除される。より具体的には、アウターガイド部７２ａの押圧部１７２が、本体筐体７１ａの側壁部１７１に形成された突出部１７１ａに、当接することによって、インナーガイド部７１ｃと本体筐体７１ａとの係合が解除される。
【００３１】
図６に示すように、インナーガイド部７１ｃは、凸部１７１ｃを有している。凸部１７１ｃは、本体部の凹部１７１ｂに嵌合可能に形成されている。凸部１７１ｃは、矩形板状に形成されている。凸部１７１ｃは、インナーガイド部７１ｃの側部から外方に突出しており、インナーガイド部７１ｃに一体に形成されている。凸部１７１ｃは、インナーガイド部７１ｃの回動軸（ヒンジ部１０ｂ）を基準とした、インナーガイド部７１ｃの一端側の側部に、一体に形成されている。
【００３２】
図２に示すように、カバー部７２は、本体部７１例えば本体筐体７１ａに開閉自在に取り付けられている。カバー部７２は、アウターガイド部７２ａ（第１ガイド部の一例）と、外カバー部７２ｂとを、有している。
【００３３】
アウターガイド部７２ａは、本体筐体７１ａの上方で開閉可能なように、本体筐体７１ａに装着されている。アウターガイド部７２ａは、例えば、後述する第１駆動ローラ３１ａの回転軸まわりに、開閉可能になっている。
【００３４】
図５Ａ〜図５Ｄに示すように、アウターガイド部７２ａは、本体筐体７１ａを押圧可能な押圧部１７２を、有している。押圧部１７２は、本体筐体７１ａの側壁部１７１に形成された突出部１７１ａを押圧可能なように、形成されている。押圧部１７２は、アウターガイド部７２ａの側部から外方に突出しており、アウターガイド部７２ａに一体に形成されている。例えば、押圧部１７２は、アウターガイド部７２ａの回動軸（第１駆動ローラ３１ａの回転軸）から所定の距離を隔てた位置において、アウターガイド部７２ａの側部に一体に形成されている。
【００３５】
押圧部１７２は、互いに対向する一対の板部材から構成されている。一対の板部材それぞれは、台形状に形成されている。板部材において下辺に対応する部分が、インナーガイド部７１ｃの側部に、一体に形成されている。また、板部材において上辺及び２つの斜辺に対応する部分が、本体筐体７１ａの側壁部１７１に対向している。なお、以下では、図５Ｂ及び図５Ｄに示すように、板部材において上辺に対応する部分を、上辺部１７２ｂと呼び、板部材において２つの斜辺に対応する部分を、第１傾斜部１７２ａ（傾斜部の一例）及び第２傾斜部１７２ｃ（傾斜部の一例）と呼ぶ。
【００３６】
第１傾斜部１７２ａと上辺部１７２ｂと第２傾斜部１７２ｃとは、本体筐体７１ａの側壁部１７１に形成された突出部１７１ａに当接し、本体筐体７１ａの側壁部１７１を、アウターガイド部７２ａの側部から離れる方向とアウターガイド部７２ａの側部に近づく方向とに、案内する。言い換えると、第１傾斜部１７２ａと上辺部１７２ｂと第２傾斜部１７２ｃとは、本体筐体７１ａの側壁部１７１を、本体筐体７１ａの側壁部１７１を、インナーガイド部７１ｃの側部から離れる方向と、インナーガイド部７１ｃの側部に近づく方向とに、案内する。
【００３７】
アウターガイド部７２ａが閉姿勢から開姿勢に変化する場合には、第１傾斜部１７２ａは、第２傾斜部１７２ｃより先に、本体筐体７１ａの側壁部１７１に形成された突出部１７１ａに、当接する。一方で、アウターガイド部７２ａが開姿勢から閉姿勢に変化する場合には、第２傾斜部１７２ｃが、第１傾斜部１７２ａより先に、本体筐体７１ａの側壁部１７１に形成された突出部１７１ａに、当接する。
【００３８】
第１傾斜部１７２ａの傾斜部と板部材の下辺とがなす傾斜角は、第２傾斜部１７２ｃの傾斜部と板部材の下辺とがなす傾斜角より小さくなるように、板部材は形成されている。これにより、アウターガイド部７２ａが閉姿勢から開姿勢に変化する場合は、アウターガイド部７２ａが開姿勢から閉姿勢に変化する場合と比較して、本体筐体７１ａの側壁部１７１を、緩やかに変形させることができる。すなわち、インナーガイド部７１ｃの凸部１７１ｃと、本体筐体７１ａにおける側壁部１７１の凹部１７１ｂとの嵌合を、スムーズに解除することができる。
【００３９】
図２に示すように、外カバー部７２ｂは、アウターガイド部７２ａの上方で開閉可能なように、本体部７１例えば本体筐体７１ａに装着されている。外カバー部７２ｂは、ヒンジ部７０ａまわりに、開閉可能になっている。
【００４０】
図１に示すように、原稿押えカバー７には、ＡＤＦ８（Ａｕｔｏ  Ｄｏｃｕｍｅｎｔ  Ｆｅｅｄｅｒ）が設けられている。ＡＤＦ８には、原稿を給紙口８ａから排紙口８ｂまで搬送するための搬送経路ＨＲが、構成されている。原稿押えカバー７の上方には、ＡＤＦ８の給紙口８ａに用紙を導くための原稿供給トレイ９が、設けられている。また、原稿押えカバー７の上面には、ＡＤＦ８の排紙口８ｂから排出された用紙を受けるための原稿排出トレイ７ｃが、設けられている。
【００４１】
図２に示すように、ＡＤＦ８は、筐体部７０と、給紙ローラ２０と、複数の搬送ローラ対３１〜３５とを、有している。筐体部７０は、上述した本体部７１とカバー部７２とから構成されている。給紙ローラ２０は、原稿を搬送経路に沿って給紙するためのものである。給紙ローラ２０は、カバー部７２に回転可能に装着されている。給紙ローラ２０は、ピックアップローラ２１と、セパレートローラ２２と、セパレートローラ２２に対向するリタードローラ２３とを、有している。ピックアップローラ２１及びセパレートローラ２２は、第１カバー部７２ａに回転可能に装着されている。リタードローラ２３は、外カバー部７２ｂに回転可能に装着されている。リタードローラ２３の代わりに、例えば分離パッドといったローラ以外のものを用いてもよい。
【００４２】
図２に示すように、複数の搬送ローラ対例えば５組の搬送ローラ対３１〜３５は、筐体部に回転可能に設けられている。搬送ローラ対３１〜３５は、搬送経路ＨＲにおいて互いに間隔を隔てて配置されている。例えば、搬送ローラ対３１〜３５は、用紙の搬送方向長さ未満の間隔で、配置されている。搬送ローラ対３１〜３５は、原稿を挟持して、原稿を搬送経路ＨＲに沿って搬送する。
【００４３】
原稿の片面を読み取る場合には、全ての搬送ローラ対３１〜３５が、原稿の搬送に関与する。また、原稿の両面を読み取る場合にも、全ての搬送ローラ対３１〜３５が、原稿の搬送に関与する。言い換えると、原稿の片面を読み取る場合には、搬送ローラ対３１〜３５は、少なくとも１度は、原稿を挟持し搬送する。また、原稿の両面を読み取る場合にも、搬送ローラ対３１〜３５は、少なくとも１度は、原稿を挟持し搬送する。なお、搬送ローラ対３１〜３５に含まれる駆動ローラ３１ａ〜３５ａ（後述する第１から第５駆動ローラ）には、図中においてハッチングを施している。
【００４４】
ここでは、５組の搬送ローラ対３１〜３５は、２組の２連ローラ３２，３４と、３組の３連ローラ３１，３３，３５とから、構成されている。２連ローラ３２，３４は、駆動ローラ３２ａ，３４ａ（後述する第２駆動ローラ及び第４駆動ローラ）と、従動ローラ３２ｂ，３４ｂとから構成されている。駆動ローラ３２ａ，３４ａは、図示しない駆動手段例えばモータにより、駆動されるローラである。従動ローラ３２ｂ，３４ｂは、駆動ローラ３２ａ，３４ａに従って回転するローラである。また、読取部１（読取位置Ｐ２）の近傍に配置される２連ローラ３２は、正転及び逆転が可能なローラ対である。
【００４５】
各３連ローラ３１，３３，３５は、駆動ローラ３１ａ，３３ａ，３５ａ（後述する第１駆動ローラ、第３駆動ローラ、及び第５駆動ローラ）と、２つの従動ローラ（３１ｂ，３１ｃ），（３３ｂ，３３ｃ），（３５ｂ，３５ｃ）とから、構成されている。各駆動ローラ３１ａ，３３ａ，３５ａは、２連ローラ３２，３４と同様に、駆動手段により駆動されるローラである。２つの従動ローラ（３１ｂ，３１ｃ），（３３ｂ，３３ｃ），（３５ｂ，３５ｃ）も、２連ローラ３２，３４と同様に、各駆動ローラ３１ａ，３３ａ，３５ａに従って回転するローラである。各３連ローラ３１，３３，３５では、２つの従動ローラ（３１ｂ，３１ｃ），（３３ｂ，３３ｃ），（３５ｂ，３５ｃ）が、互いに対向して配置されている。各駆動ローラ３１ａ，３３ａ，３５ａは、２つの従動ローラ（３１ｂ，３１ｃ），（３３ｂ，３３ｃ），（３５ｂ，３５ｃ）の間に配置されている。
【００４６】
原稿の片面を読み取る場合、各駆動ローラ３１ａ，３３ａ，３５ａと一対の従動ローラ（３１ｂ，３１ｃ），（３３ｂ，３３ｃ），（３５ｂ，３５ｃ）のいずれか一方との間を、原稿が通過する。一方で、原稿の両面を読み取る場合、各駆動ローラ３１ａ，３３ａ，３５ａと一対の従動ローラのいずれか一方（３１ｂ，３１ｃ），（３３ｂ，３３ｃ），（３５ｂ，３５ｃ）との間を、原稿が通過する。また、この場合、各駆動ローラ３１ａ，３３ａ，３５ａと一対の従動ローラ（３１ｂ，３１ｃ），（３３ｂ，３３ｃ），（３５ｂ，３５ｃ）のいずれか他方との間を、原稿が通過する。
【００４７】
なお、駆動ローラ３１ａ，３３ａ，３５ａは、図示しない駆動伝達機構を介して、駆動手段によって回転駆動されてもよい。駆動手段及び駆動伝達機構は、本体部７１の内部に設けられている。ＡＤＦ８における２連ローラ３２，３４及び３連ローラ３１，３３，３５の配置形態については、後述する。
【００４８】
上記のような構成を有する複合機では、原稿供給トレイ９に堆積された原稿は、一枚ずつピックアップされ、給紙口８ａからＡＤＦ８に案内される。そして、ＡＤＦ８において、原稿がコンタクトガラス１２の上を通過することにより、原稿の内容が読取装置６により読み取られる。読み取られた後の原稿は、排紙口８ｂから原稿排出トレイ７ｃ上に排出される。
【００４９】
このように、読取部１は、フラットベッドタイプのスキャナとして用いるとともに、シートフィードタイプのスキャナとしても用いられる。フラットベッドタイプのスキャナとして用いられる場合は、静止原稿載置ベッド１１に載置された原稿が、読取装置６を走査させて、読み取られる。また、シートフィードタイプのスキャナで用いられる場合は、ＡＤＦ８により搬送される原稿が、コンタクトガラス１２の下部の位置に固定した読取装置６によって、読み取られる。
【００５０】
なお、読取部本体１０には、図示しない入力部例えばキーパネルが、設けられている。キーパネルを操作することにより、原稿の内容が読み取られ、読み取った内容をファクシミリ送信する際の送信先が設定され、受信内容や読み取った内容が記録装置３において記録される。
（２）ＡＤＦ８の内部構造
【００５１】
次に、ＡＤＦ８の内部構造について説明する。ここでは、図２に示す側面視にて、原稿供給トレイ９の原稿を給紙する方向に向かう水平方向を前後方向とし、前後方向に対して水平に直交する方向を左右方向として、定義する。
【００５２】
図６及び図７の太線で示すように、ＡＤＦ８の搬送経路ＨＲでは、原稿が、給紙口８ａから排紙口８ｂまで、一方向に搬送される。搬送経路ＨＲは、後述するように、少なくとも一部が略水平になるように形成されている。片面読取用の搬送経路ＨＲ（図６の太線を参照）は、給紙経路Ｒ１と、導入経路Ｒ２と、第１中間経路Ｒ３と、排紙経路Ｒ４とから、構成されている。給紙経路Ｒ１では、原稿が給紙口８ａから原稿押えカバー７の本体部７１へと案内される。導入経路Ｒ２では、原稿が給紙経路Ｒ１から読取位置Ｐ２へと案内される。第１中間経路Ｒ３では、原稿が読取位置Ｐ２から、原稿を搬送する経路を切り替える切替位置Ｐ３まで、案内される。排紙経路Ｒ４では、原稿が切替位置Ｐ３から排紙口８ｂへと案内される。
【００５３】
以下では、給紙経路Ｒ１と導入経路Ｒ２との連結箇所が、第１分岐点Ｐ１と呼ばれる。導入経路Ｒ２と第１中間経路Ｒ３との連結箇所は、上述した読取位置Ｐ２である。第１中間経路Ｒ３と排紙経路Ｒ４との連結箇所は、上記の切替位置Ｐ３である。なお、切替位置Ｐ３では、切替部７１ｂを揺動させることによって、原稿の排紙又は原稿の反転が決定される。例えば、原稿の片面が読み取られる場合は、切替部７１ｂを上方に揺動させることによって、原稿が排紙経路Ｒ４に案内され排紙される。
【００５４】
両面読取用の搬送経路ＨＲ（図７の太線を参照）は、給紙経路Ｒ１と、導入経路Ｒ２と、第１中間経路Ｒ３と、反転経路Ｒ５と、第２中間経路Ｒ６と、排紙経路Ｒ４とから、構成されている。この場合、給紙経路Ｒ１と、導入経路Ｒ２と、第１中間経路Ｒ３と、排紙経路Ｒ４とは、片面読取用の搬送経路ＨＲに含まれる経路と同じであるので、説明を省略する。ここでは、反転経路Ｒ５と第２中間経路Ｒ６とについてのみ、説明を行う。
【００５５】
反転経路Ｒ５では、原稿が、切替位置Ｐ３から読取位置Ｐ２へと案内され、反転される。反転経路Ｒ５には、第１中間経路Ｒ３の一部（読取位置Ｐ２側の一部）が含まれている。反転経路Ｒ５の一部の経路、例えば反転経路Ｒ５の上流側の経路が、本体部７１と、カバー部７２例えば第１カバー部７２ａとの間に、設けられている。カバー部７２例えば第１カバー部７２ａが開放されると、この部分の搬送経路は露出する。
【００５６】
第２中間経路Ｒ６では、原稿が読取位置Ｐ２から切替位置Ｐ３へと案内される。第２中間経路Ｒ６には、第１中間経路Ｒ３の一部（切替位置Ｐ３側の一部、後述する重複経路Ｒ７）と、導入経路Ｒ２とが、含まれている。また、第２中間経路Ｒ６の一部の経路、例えば第１分岐点Ｐ１と切替位置Ｐ３との間の搬送経路が、本体部７１と、カバー部７２例えば第１カバー部７２ａとの間に、設けられている。カバー部７２例えば第１カバー部７２ａが開放されると、この部分の搬送経路は露出する。この部分の搬送経路は、略水平になるように形成されている。この部分の搬送経路において、原稿の片面を読み取った後及び原稿の両面を読み取った後に、原稿が重複して通過する部分（重複経路Ｒ７）は、第２中間経路Ｒ６が第１中間経路Ｒ３に合流する箇所Ｐ６（後述する合流点）と切替位置Ｐ３との間の経路である。
【００５７】
なお、原稿の片面側（一面側）が読み取られてから、原稿の裏面側（他面側）が読み取られるまでの経路、すなわち第１中間経路Ｒ３及び反転経路Ｒ５（読取位置Ｐ２→切替位置Ｐ３→交差点Ｐ４→第２分岐点Ｐ５→読取位置Ｐ２）は、ループ状に形成されている。
【００５８】
また、以下では、反転経路Ｒ５が排紙経路Ｒ４に交差する箇所が、交差点Ｐ４と呼ばれる。また、反転経路Ｒ５が第１中間経路Ｒ３に合流する箇所が、第２分岐点Ｐ５と呼ばれる。さらに、第２中間経路Ｒ６が第１中間経路Ｒ３に合流する箇所が、合流点Ｐ６と呼ばれる。なお、切替位置Ｐ３では、切替部７１ｂを揺動させることによって、原稿の排紙又は原稿の反転が決定される。この場合では、切替部７１ｂを下方に揺動させることによって、原稿が反転経路Ｒ５に案内され、切替部７１ｂを上方に揺動させることによって、原稿が排紙経路Ｒ４に案内される。
（３）搬送ローラ対の配置形態
【００５９】
続いて、５組の搬送ローラ対３１〜３５（２組の２連ローラ３２，３４及び３組の３連ローラ３１，３３，３５）の配置形態について、説明する。
【００６０】
読取部１（読取位置Ｐ２）より上流側、例えば第１分岐点Ｐ１の近傍には、第１の３連ローラ３１が配置されている。第１の３連ローラ３１における駆動ローラ３１ａ（第１駆動ローラ）は、給紙経路Ｒ１と第２中間経路Ｒ６との間において、第１カバー部７２ａに回転可能に装着されている。第１駆動ローラ３１ａに隣接する一方の従動ローラ３１ｂは、外カバー部７２ｂに回転自在に装着されている。第１駆動ローラ３１ａに隣接する他方の従動ローラ３１ｃは、本体部７１に回転自在に装着されている。
【００６１】
第１駆動ローラ３１ａは、レジスト補正例えば斜行補正するためのローラである。第１駆動ローラ３１ａと一方の従動ローラ３１ｂとは、給紙経路Ｒ１を通過する原稿の傾きを補正して、この原稿を読取位置Ｐ２に向けて搬送する。第１駆動ローラ３１ａと他方の従動ローラ３１ｃとは、第２中間経路Ｒ６を通過する原稿を、切替位置Ｐ３に向けて搬送する。なお、第１駆動ローラ３１ａと一方の従動ローラとのニップ部を、符号Ａと記す。また、第１駆動ローラ３１ａと他方の従動ローラとのニップ部を、符号Ｇと記す。
【００６２】
第１分岐点Ｐ１と読取部１（読取位置Ｐ２）との間には、第１の２連ローラ３２が配置されている。第１の２連ローラ３２における駆動ローラ３２ａ（第２駆動ローラ）は、正転及び逆転が可能なローラである。第２駆動ローラ３２ａは、本体部７１に回転可能に装着されている。第１の２連ローラ３２における従動ローラ３２ｂは、本体部７１に回転自在に装着されている。第２駆動ローラ３２ａとこの従動ローラ３２ｂとは、正転時には、導入経路Ｒ２を通過する原稿を、読取位置Ｐ２に向けて、搬送する。一方で、逆転時には、第２駆動ローラ３２ａと従動ローラ３２ｂとは、第２中間経路Ｒ６（導入経路Ｒ２を含む）を通過する原稿を、第１分岐点Ｐ１に向けて、搬送する。なお、第２駆動ローラ３２ａと従動ローラ３２ｂとのニップ部を、符号Ｂと記す。
【００６３】
読取部１（読取位置Ｐ２）より下流側、例えば読取部１（読取位置Ｐ２）と切替部７１ｂとの間には、第２の３連ローラ３３が配置されている。言い換えると、第２分岐点Ｐ５の近傍には、第２の３連ローラ３３が配置されている。第２の３連ローラ３３における駆動ローラ３３ａ（第３駆動ローラ）は、第１中間経路Ｒ３と反転経路Ｒ５との間において、本体部７１に回転可能に装着されている。第３駆動ローラ３３ａに隣接する一方の従動ローラ３３ｂ及び他方の従動ローラ３３ｃは、本体部７１に回転自在に装着されている。
【００６４】
第３駆動ローラ３３ａと一方の従動ローラ３３ｂとは、第１中間経路Ｒ３を通過する原稿を、切替位置Ｐ３に向けて搬送する。第３駆動ローラ３３ａと他方の従動ローラ３３ｃとは、反転経路Ｒ５を通過する原稿を、第２分岐点Ｐ５及び読取位置Ｐ２に向けて、搬送する。なお、第３駆動ローラ３３ａと一方の従動ローラ３３ｂとのニップ部を、符号Ｃと記す。また、第３駆動ローラ３３ａと他方の従動ローラ３３ｃとのニップ部を、符号Ｆと記す。
【００６５】
切替位置Ｐ３の近傍、例えば読取位置Ｐ２と切替位置Ｐ３との間における切替位置Ｐ３の近傍には、第２の２連ローラ３４が配置されている。第２の２連ローラ３４における駆動ローラ３４ａ（第４駆動ローラ）は、本体部７１に回転可能に装着されている。第２の２連ローラ３４における従動ローラ３４ｂは、第１カバー部７２ａに回転自在に装着されている。第４駆動ローラ３４ａと従動ローラ３４ｂとは、第１中間経路Ｒ３及び第２中間経路Ｒ６を通過する原稿を、切替位置Ｐ３に向けて搬送する。なお、第４駆動ローラ３４ａと従動ローラ３４ｂとのニップ部を、符号Ｄと記す。
【００６６】
交差点Ｐ４の近傍、例えば排紙口８ｂの近傍には、第３の３連ローラ３５が配置されている。第３の３連ローラ３５における駆動ローラ３５ａ（第５駆動ローラ）は、反転経路Ｒ５と排紙経路Ｒ４との間において、本体部７１に回転可能に装着されている。第５駆動ローラ３５ａに隣接する一方の従動ローラ３５ｂ及び他方の従動ローラ３５ｃは、本体部７１に回転自在に装着されている。
【００６７】
第５駆動ローラ３５ａと一方の従動ローラ３５ｂとは、反転経路Ｒ５を通過する原稿を、交差点Ｐ４に向けて搬送する。第５駆動ローラ３５ａと他方の従動ローラ３５ｃとは、排紙経路Ｒ４を通過する原稿を、排紙口８ｂに向けて、搬送する。なお、第５駆動ローラ３５ａと一方の従動ローラ３５ｂとのニップ部を、符号Ｅと記す。また、第５駆動ローラ３５ａと他方の従動ローラ３５ｃとのニップ部を、符号Ｈと記す。
（４）原稿の搬送順序
【００６８】
最後に、原稿の搬送順序について、説明する。原稿の片面を読み込む場合、原稿は、表面を上にして原稿供給トレイ９にセットされる。そして、原稿は、給紙口８ａ、ニップ部Ａ、ニップ部Ｂ、読取位置Ｐ２、ニップ部Ｃ、ニップ部Ｄ、切替位置Ｐ３、ニップ部Ｈ、排紙口８ｂの順に、搬送される。これにより、原稿の片面（一面）が、読み取られる。このように、原稿の片面を読み取る場合には、原稿は、搬送経路ＨＲの一部（給紙経路Ｒ１、導入経路Ｒ２、第１中間経路Ｒ３、及び排出経路）を、通過する。
【００６９】
なお、原稿が読取位置Ｐ２に接近した場合、図示しないセンサ部によって、原稿が検知される。その後、読取位置Ｐ２において原稿が読取部１によって読み取られる。センサ部は、第１の３連ローラ３１の上流側、例えば第１の３連ローラ３１と第１の２連ローラ３２との間において、搬送経路ＨＲを通過する原稿を検知可能に、本体部７１に設けられている。ここでは、センサ部には、例えば反射式センサが用いられている。
【００７０】
原稿の両面を読み込む場合、原稿は、表面を上にして原稿供給トレイ９にセットされる。そして、原稿は、給紙口８ａ、ニップ部Ａ、ニップ部Ｂ、読取位置Ｐ２、ニップ部Ｃ、ニップ部Ｄの順に、搬送される。これにより、原稿の片面（一面）が、読み取られる。続いて、原稿は、切替位置Ｐ３、ニップ部Ｅ、交差点Ｐ４、ニップ部Ｆ、第２分岐点Ｐ５、読取位置Ｐ２、ニップ部Ｂ、第１分岐点Ｐ１、ニップ部Ｇ、合流点Ｐ６、ニップ部Ｄ、切替位置Ｐ３、ニップ部Ｈ、排紙口８ｂの順に、搬送される。これにより、原稿の裏面（他面）が、読み取られる。ここで、原稿を読取位置Ｐ２から第１分岐点Ｐ１へと搬送するためには、第２駆動ローラ３２ａが、原稿をニップ部Ｂにおいてニップした状態で、逆転する。
【００７１】
このようにして、原稿の両面（一面及び他面）が、読み取られる場合には、原稿は、搬送経路ＨＲの全て（給紙経路Ｒ１、導入経路Ｒ２、第１中間経路Ｒ３、反転経路Ｒ５、第２中間経路Ｒ６、及び排紙経路Ｒ４）を、通過する。
【００７２】
なお、本実施形態では、各部材の制御、各機構の制御、及び各駆動手段の制御等は、図示しないコントローラによって実行される。例えば、ローラ部（給紙ローラ２０や搬送ローラ対３１〜３５等）、スタンプ部、センサ部、入力部、及びガイド等は、コントローラによって制御されている。また、制御時に利用されるデータは、図示しないメモリに格納されており、このデータは、適宜読み出し可能である。
（５）カバー部の開放動作
【００７３】
最後に、カバー部７２の開放動作について、説明する。まず、図３に示すように、外カバー部７２ｂのロック機構７９（図４を参照）が解除され、外カバー部７２ｂが開放される。次に、アウターガイド部７２ａが、上方に引き上げられると、アウターガイド部７２ａが上方に回動する。すなわち、アウターガイド部７２ａが、閉姿勢から開姿勢へと変化する。ここで、アウターガイド部７２ａが、閉姿勢から開姿勢へと変化する間において、アウターガイド部７２ａの側部に形成された押圧部１７２が、本体筐体７１ａの側壁部１７１に形成された突出部１７１ａに、当接する。
【００７４】
具体的には、図５Ａ〜図５Ｄに示すように、アウターガイド部７２ａの押圧部１７２は、第１傾斜部１７２ａ、上辺部１７２ｂ、第２傾斜部１７２ｃの順に、本体筐体７１ａの突出部１７１ａに当接し、突出部１７１ａ上を摺動する。より具体的には、アウターガイド部７２ａの押圧部１７２に形成された第１傾斜部１７２ａが、本体筐体７１ａの突出部１７１ａに当接した状態で、アウターガイド部７２ａが回動することによって、本体筐体７１ａの側壁部１７１が、アウターガイド部７２ａの側部から離れる方向に、変形する。すなわち、この場合、本体筐体７１ａの側壁部１７１が、インナーガイド部７１ｃの側部から離れる方向に、変形する。この変形によって、本体筐体７１ａの側壁部１７１に形成された凹部１７１ｂと、インナーガイド部７１ｃの凸部１７１ｃとの嵌合が、解除される。 
【００７５】
続いて、アウターガイド部７２ａの押圧部１７２に形成された上辺部１７２ｂが、本体筐体７１ａの突出部１７１ａに当接した状態で、アウターガイド部７２ａが回動した場合、本体筐体７１ａの側壁部１７１は、アウターガイド部７２ａの側部から離れた位置で、保持される。続いて、アウターガイド部７２ａの押圧部１７２に形成された第２傾斜部１７２ｃが、本体筐体７１ａの突出部１７１ａに当接した状態で、アウターガイド部７２ａが回動することによって、本体筐体７１ａの側壁部１７１が、アウターガイド部７２ａの側部に近づく方向に移動する。そして、最終的には、アウターガイド部７２ａの押圧部１７２と本体筐体７１ａの突出部１７１ａとの接触が解除され、本体筐体７１ａの側壁部１７１が、変形前の形状に復帰する。
【００７６】
このように、アウターガイド部７２ａが閉姿勢から開姿勢へと変化した状態では、開姿勢のアウターガイド部７２ａは容易に閉姿勢に戻ることができない。例えば、開姿勢のアウターガイド部７２ａが閉姿勢に戻ろうとした場合、アウターガイド部７２ａの押圧部１７２が、本体筐体７１ａの突出部１７１ａに当接する。すなわち、アウターガイド部７２ａが開姿勢から閉姿勢へと能動的に戻らないように、規制されている。さらに、アウターガイド部７２ａを、閉姿勢から開姿勢へと変化させることによって、インナーガイド部７１ｃの凸部１７１ｃと、本体筐体７１ａの側壁部１７１に形成された凹部１７１ｂとの嵌合を、解除することができる。
【００７７】
上記のように、アウターガイド部７２ａが開放された後は、インナーガイド部７１ｃの凸部１７１ｃと、本体筐体７１ａの側壁部１７１に形成された凹部１７１ｂとの嵌合が解除されている。このため、アウターガイド部７２ａが開放された後は、インナーガイド部７１ｃを上方に回動だけで、インナーガイド部７１ｃを閉姿勢から開姿勢へと容易に変化させることができる。
【００７８】
なお、カバー部７２を閉じる場合は、アウターガイド部７２ａ及びインナーガイド部７１ｃを、下方に回動することによって、アウターガイド部７２ａ及びインナーガイド部７１ｃが閉じられる。そして、最後に、外カバー部７２ｂが、閉じられる。
【００７９】
（６）実施形態の作用効果
上記実施形態は、下記のように表現可能である。
（Ａ）ＡＤＦ８は、本体筐体７１ａと、アウターガイド部７２ａと、インナーガイド部７１ｃとを、備えている。アウターガイド部７２ａは、本体筐体７１ａに開閉可能に取り付けられている。インナーガイド部７１ｃは、本体筐体７１ａとアウターガイド部７２ａとの間において、本体筐体７１ａに開閉可能に取り付けられている。また、インナーガイド部７１ｃは、閉姿勢において本体筐体７１ａに係合する。ここでは、アウターガイド部７２ａが開かれる場合に、本体筐体７１ａがアウターガイド部７２ａの少なくとも一部によって押圧されることによって、インナーガイド部７１ｃと本体筐体７１ａとの係合が、解除される。
【００８０】
この場合、アウターガイド部７２ａ及びインナーガイド部７１ｃが閉姿勢である場合には、インナーガイド部７１ｃは本体筐体７１ａに係合している。そして、アウターガイド部７２ａが開かれる場合に、本体筐体７１ａがアウターガイド部７２ａの少なくとも一部によって押圧され、インナーガイド部７１ｃと本体筐体７１ａとの係合が解除される。これにより、インナーガイド部７１ｃが開放可能になる。すなわち、アウターガイド部７２ａを開放するだけで、インナーガイド部７１ｃも開放可能になるので、搬送経路に容易にアクセスすることができる。
【００８１】
（Ｂ）ＡＤＦ８では、アウターガイド部７２ａが、本体筐体７１ａを押圧可能な押圧部１７２を、有している。ここでは、押圧部１７２が本体筐体７１ａに当接することによって、インナーガイド部７１ｃと本体筐体７１ａとの係合が解除される。この場合、局所的な押圧力を、アウターガイド部７２ａの押圧部１７２から本体筐体７１ａに与えることができるので、小さな力でインナーガイド部７１ｃと本体筐体７１ａとの係合を、容易に解除することができる。
【００８２】
（Ｃ）ＡＤＦ８では、本体筐体７１ａが、突出部１７１ａを有している。ここでは、押圧部１７２が突出部１７１ａに当接することによって、インナーガイド部７１ｃと本体筐体７１ａとの係合が解除される。この場合、局所的な押圧力を、アウターガイド部７２ａの押圧部１７２から本体筐体７１ａの突出部１７１ａに与えることができるので、小さな力でインナーガイド部７１ｃと本体筐体７１ａとの係合を、より容易に解除することができる。
【００８３】
（Ｄ）ＡＤＦ８では、押圧部１７２が、第１傾斜部１７２ａ及び第２傾斜部１７２ｃを、有している。例えば、アウターガイド部７２ａが閉姿勢から開姿勢に変化する場合、第１傾斜部１７２ａは、突出部１７１ａに当接し、本体筐体７１ａをアウターガイド部７２ａから離れる方向に案内する。また、第２傾斜部１７２ｃは、突出部１７１ａに当接し、アウターガイド部７２ａに近づく方向に案内する。また、アウターガイド部７２ａが開姿勢から閉姿勢に変化する場合、第２傾斜部１７２ｃは、突出部１７１ａに当接し、本体筐体７１ａをアウターガイド部７２ａから離れる方向に案内する。また、第１傾斜部１７２ａは、突出部１７１ａに当接し、アウターガイド部７２ａに近づく方向に案内する。
【００８４】
この場合、アウターガイド部７２ａが閉姿勢から開姿勢に変化する場合、上記の第１傾斜部１７２ａによって、本体筐体７１ａを、アウターガイド部７２ａから離れる方向に案内することによって、インナーガイド部７１ｃと本体筐体７１ａとの係合が解除される。また、上記の第２傾斜部１７２ｃによって、本体筐体７１ａを、アウターガイド部７２ａに近づく方向に案内することによって、本体筐体７１ａの姿勢が復帰させられる。このように、第１傾斜部１７２ａ及び第２傾斜部１７２ｃによって、インナーガイド部７１ｃと本体筐体７１ａとの係合を、より容易に解除することができる。また、第１傾斜部１７２ａ及び第２傾斜部１７２ｃによって、本体筐体７１ａの姿勢をスムーズに元の姿勢に復帰させることができる。
【００８５】
（Ｅ）ＡＤＦ８では、本体筐体７１ａが、凹部１７１ｂを有している。インナーガイド部７１ｃは、凹部１７１ｂに嵌合可能な凸部１７１ｃを、有している。この場合、インナーガイド部７１ｃが閉姿勢である状態において、本体筐体７１ａの凹部１７１ｂにインナーガイド部７１ｃの凸部１７１ｃを係合させることによって、本体筐体７１ａに対してインナーガイド部７１ｃを位置決めすることができる。
【００８６】
（Ｆ）複合機は、搬送経路ＨＲと、上記のＡＤＦ８と、読取部１とを、備えている。搬送経路ＨＲでは、原稿が、給紙口８ａから排紙口８ｂまで、一方向に搬送される。読取部１は、搬送経路ＨＲにおいて、原稿の片面又は原稿の両面を、読み取る。この場合においても、上記と同様の効果を得ることができる。この場合においても、上記と同様の効果を得ることができる。
【００８７】
（７）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００８８】
（ａ）前記実施形態では、複合機にＡＤＦ８が設けられる場合の例を示したが、ＡＤＦ８が設けられる装置は、複合機である必要はなく、原稿の読取が可能である装置であれば、どのようなものでもよい。
【００８９】
（ｂ）前記実施形態では、一対の側壁部１７１のいずれか一方に突出部１７１ａと凹部１７１ｂとが形成される場合の例を示したが、一対の側壁部１７１それぞれに突出部１７１ａと凹部１７１ｂとを形成してもよい。
【００９０】
（ｃ）前記実施形態では、インナーガイド部７１ｃの凸部１７１ｃが、本体部の側壁部１７１に形成された凹部１７１ｂに嵌合される場合の例を示したが、本体部の側壁部１７１にリブを設けて、このリブに凸部１７１ｃが係合するようにしてもよい。
【産業上の利用可能性】
【００９１】
本発明は、自動原稿搬送装置及び画像読取装置に広く適用できる。
【符号の説明】
【００９２】
１  読取部
２  記録部
３  記録装置
４  給紙カセット
５  記録紙排出トレイ
６  読取装置
７  原稿押えカバー
８  ＡＤＦ
８ａ  給紙口
８ｂ  排紙口
９  原稿供給トレイ
１０  読取部本体
１０ａ,１０ｂ  ヒンジ部
１１  静止原稿載置ベッド
１２  コンタクトガラス
１３  固定部材
２０  給紙ローラ
２１  ピックアップローラ
２２  セパレートローラ
２３  リタードローラ
３１，３３，３５  ３連ローラ
３１ａ〜３５ａ  駆動ローラ（第１〜第５駆動ローラ）
３１ｂ，３１ｃ，３３ｂ，３３ｃ，３５ｂ，３５ｃ  ３連ローラ用の従動ローラ
３２，３４  ２連ローラ
３２ｂ，３４ｂ  ２連ローラ用の従動ローラ
７０筐体部
７０ａ  ヒンジ部
７１  本体部
７１ａ  本体筐体
７１ｂ  切替部
７１ｃ  インナーガイド部（第２ガイド部）
７２  カバー部
７２ａ  アウターガイド部（第１ガイド部）
７２ｂ  外カバー部
７９  ロック機構
１７１  側壁部
１７１ａ  突出部
１７１ｂ  凹部
１７１ｃ  凸部
１７２  押圧部
１７２ａ  第１傾斜部（傾斜部）
１７２ｂ  上辺部
１７２ｃ  第２傾斜部（傾斜部）
Ａ〜Ｇ  ニップ部
Ｐ１  第１分岐点
Ｐ２  読取位置
Ｐ３  切替位置
Ｐ４  交差点
Ｐ５  第２分岐点
Ｐ６  合流点
Ｒ１  給紙経路
Ｒ２  導入経路
Ｒ３  第１中間経路
Ｒ４  排紙経路
Ｒ５  反転経路
Ｒ６  第２中間経路
Ｒ７  重複経路
【図１】
0005895441.tif 000002
【図２】
0005895441.tif 000003
【図３】
0005895441.tif 000004
【図４】
0005895441.tif 000005
【図５Ａ】
0005895441.tif 000006
【図５Ｂ】
0005895441.tif 000007
【図５Ｃ】
0005895441.tif 000008
【図５Ｄ】
0005895441.tif 000009
【図６】
0005895441.tif 000010
【図７】
0005895441.tif 000011
【図８】
0005895441.tif 000012